(57)【要約】  【課題】  人指し指一本で筆ペンを容易に操作できるようにする。  【解決手段】  本発明は上記課題を解決するために一側から指を挿入して該指を嵌着できる指挿入孔２を有し、他側に筆ペン５を取付けた筆ペン保持具１を設け、該筆ペン保持具１の前記指挿入孔２に指３を挿入し、該指３で前記筆ペン５を操作して任意の書体を描写できるように構成された指先で操作できる筆ペンを提供する。【選択図】図１
2008265126.tif 000002
【特許請求の範囲】
【請求項１】
一側から指を挿入して該指を嵌着できる指挿入孔を有し、他側に筆ペンを取付けた筆ペン保持具を設け、該筆ペン保持具の前記指挿入孔に指を挿入し、該指で前記筆ペンを操作して任意の書体を描写できるように構成されたことを特徴とする指先で操作できる筆ペン。
【請求項２】
上記筆ペン保持具は少なくとも指挿入孔近傍が弾性材にて構成されたことを特徴とする請求項１記載の指先で操作できる筆ペン。
【発明の詳細な説明】
【技術分野】
【０００１】
この発明は指先で操作できる筆ペンに関するものであり、特に、一本の指にて筆ペンを操作できるように構成された筆ペンに関するものである。
【背景技術】
【０００２】
従来此種一本の指で操作できるように構成された筆ペンは嘗て存在しない。
【０００３】
従来の筆ペンであって、カップリングの一端に筆記エレメントを嵌着し、他側に塗布エレメントを嵌着し、必要に応じ、筆記エレメント又は塗布エレメントを用いて任意の書画等を描写できるように構成された手持ち式筆記用具が知られている。（例えば特許文献１参照）
【特許文献１】（特開平７−２９０８８６号公報）
【発明の開示】
【発明が解決しようとする課題】
【０００４】
上記特許文献１記載の筆記用具も従来例の筆の持ち方と同様に三本の指先で該筆記用具を外側から把持して筆記することになる。
【０００５】
そこで、例えば人指し指一本で筆ペンを任意自在に操作できるようにして筆ペンの操作性の向上を計るために解決せられるべき技術的課題が生じてくるのであり、本発明は該課題を解決することを目的とする。
【課題を解決するための手段】
【０００６】
本発明は上記目的を達成するために提案せられたものであり、一側から指を挿入して該指を嵌着できる指挿入孔を有し、他側に筆ペンを取付けた筆ペン保持具を設け、該筆ペン保持具の前記指挿入孔に指を挿入し、該指で前記筆ペンを操作して任意の書体を描写できるように構成された指先で操作できる筆ペンを提供するものである。
【０００７】
この構成によれば、例えば人指し指を指挿入孔に挿入して、該人指し指を筆ペン保持具に嵌着し、そして、人指し指にて該筆ペン保持具を自由に操作することにより、該筆ペン保持具に取付けてある筆ペンによる各種描写を実行することができる。
【０００８】
請求項２記載の発明は上記筆ペン保持具は少なくとも指挿入孔近傍が弾性材にて構成された指先で操作できる筆ペンを提供する。
【０００９】
この構成によれば、筆ペン保持具のうち少なくとも指挿入孔近傍が弾性材で構成されているので、該指挿入孔に人指し指を挿入して嵌着する際に該人指し指は容易に挿入でき、且つ、密着する。
【発明の効果】
【００１０】
請求項１記載の発明は、筆ペン保持具の一側に設けた指挿入孔に指を挿入して嵌着させることにより、挿入された指によって筆ペン保持具は自由に操作される。従って、該筆ペン保持具の他側に取付けてある筆ペンは前記挿入された一本の指にて筆ペンが操作され、極めて自由活発に筆ペン操作が実行され、筆ペンの操作性が従来に比し一層向上する。
【００１１】
又、請求項２記載の発明は、請求項１記載の発明の効果に加え、前記筆ペン保持具であって、少なくとも前記指挿入孔近傍は弾性材にて形成されているため、指の挿入操作が円滑に行われ、且つ、指の筆ペン保持具に対する密着度が保証され、指による筆ペンの操作性が更に向上する。
【発明を実施するための最良の形態】
【００１２】
本発明は一本の指の操作により筆ペンを自由に操作できるようにすると云う目的を達成するために、一側から指を挿入して該指を嵌着できる指挿入孔を有し、他側に筆ペンを取付けた筆ペン保持具を設け、該筆ペン保持具の前記指挿入孔に指を挿入し、該指で前記筆ペンを操作して任意の書体を描写できるように構成されたことを特徴とする指先で操作できる筆ペンを提供することにより実現した。
【実施例】
【００１３】
以下、本発明の好適な実施例を図１乃至図３に基づいて説明する。図１は本発明の全体の縦断側面図であり、２点鎖線は人の手であって、特に後述の指挿入孔に人指し指を挿入した状態を示す。図２は図１のＡ−Ａ線断面図、図３は図１のＢ−Ｂ線断面図である。
【００１４】
図において１は筆ペン保持具である。該筆ペン保持具１は下面及び右側面を開放した指挿入孔２を有し、且つ該指挿入孔２は人指し指３の先端部下面の膨拡部３ａに対応してその略下面前半部２ａが下方へ向かって膨拡されており、該下面前半部２ａから後方下面（図１において右方下面）は開放され、該開放部２ｂを介して人指し指３を指挿入孔２に挿入できるように構成されている。
【００１５】
従って、人指し指３はその先端部はその全面が筆ペン保持具１にて被嵌されており、依って、該筆ペン保持具１は該人指し指３によって自由に操作できることになる。而も、この人指し指３の前記膨拡部３ａを含む先端部を該筆ペン保持具１の指挿入孔２に挿入して該人指し指３を該筆ペン保持具１に嵌着するとき、該筆ペン保持具１の少なくとも指挿入孔２近傍が弾性材にて構成されているため、人指し指３の筆ペン保持具１に対する密着保持性が維持され、依って、人指し指３による筆ペン保持具１に対する自由なる操作が可能となる。
【００１６】
尚、前記指挿入孔２近傍に弾性を付与する手段として筆ペン保持具１の前記指挿入孔２の下面前半部２ａに切り込みを設けてもよい。
【００１７】
又、前記筆ペン保持具１は前記指挿入孔２を形成した部分から前方部（図１において左方）がやや下方へ向かって折曲されており、該折曲部が前面開放の円筒４に形成されており、該円筒４の内壁面に雌ネジ部４ａが形成される。一方、筆ペン５の根部５ａの外側面に前記雌ネジ部４ａと螺合する雄ネジ部５ｂを設け、そして、該雄ネジ部５ｂを雌ネジ部４ａに螺合させて筆ペン５を筆ペン保持具１に取付ける。
【００１８】
勿論、筆ペン５の取付手段は前記雌雄ネジの取付手段の外、相互に嵌合する方式等、特にその手段は限定せられるべきではないが、取付け取り外し自在に形成されていることは当然である。然るときは、筆ペン５の交換も自在となる。
【００１９】
尚、図中符号６は穂先であり、７はインクを封入したインク収容部を示し、筆ペン５を使用するとき、該インク収容部７から必要量だけ穂先６に向かってインクがにじみ出るように構成されている。又、８はキャップを示す。
【００２０】
本発明は上述した構成に係るから、筆ペン５を利用して習字等を描写しようとするときには、先ず、人指し指３を指挿入孔２に挿入し、筆ペン保持具１の弾性により人指し指３を筆ペン保持具１に密着嵌合させることにより、人指し指３が任意に筆ペン保持具１を操作できる。そこで、筆ペン保持具１に固定されている筆ペン５の穂先６を紙面（図示略）上にあてがって、人指し指３を任意の方向へ動かしながら前記筆ペン５の穂先６を操作し、前記紙面に文字、図形等の描写が可能となる。このとき、人指し指３のみの操作にて筆ペン５を操作するのであるから、書体等好み通りに表現されることが可能となる。
【００２１】
尚、本発明は、本発明の精神を逸脱しない限り種々の改変を為すことができ、そして、本発明が該改変されたものに及ぶことは当然である。
【図面の簡単な説明】
【００２２】
【図１】本発明の実施例を示し、全体の縦断側面図。
【図２】図１のＡ−Ａ線断面図。
【図３】図１のＢ−Ｂ線断面図。
【符号の説明】
【００２３】
１          筆ペン保持具
２          指挿入孔
２ａ        下面前半部
３          人指し指
３ａ        膨拡部
４          円筒
４ａ        雌ネジ部
５          筆ペン
５ａ        根部
５ｂ        雄ネジ部
６          穂先
７          インク収容部
８          キャップ
【図１】
2008265126.tif 000003
【図２】
2008265126.tif 000004
【図３】
2008265126.tif 000005